(57)【要約】  ユーザの預金口座に関する情報を検索するための電子情報カードが開示される。電子情報カードは、前面及び裏面を有するケースと、ケース内に設置される決済チップ及びメモリチップと、前面に設置されるタッチキーパッドと、前面に設置されるディスプレイ画面と、前面に設置される始動ボタンとを備える。決済チップは、ユーザと取引端末の間の取引を開始する。メモリチップによって、ユーザが、オフラインモードでタッチキーパッドによってナビゲートすることによって、金融サービス、例えば、口座残高のチェック、毎月の出費のチェック、取引情報のチェックにアクセスすることができる。ユーザがタッチキーパッドによってナビゲートするときに、ディスプレイ画面は預金口座に関する情報を表示する。電子情報カードは、オンライン取引を行う間、強化されたセキュリティをユーザに提供する。【特許請求の範囲】
【請求項１】
ユーザの預金口座に関する情報を検索するための電子情報カードであり、
前面及び裏面を有するケースと、
前記ケース内に設置される決済チップであって、前記前面で有効にアクセス可能であり、前記ユーザと取引端末の間で取引を開始するように構成される決済チップと、
前記前面に設置されるタッチキーパッドであって、複数のタッチボタンを含むタッチキーパッドと、
前記ケース内に設置されるメモリチップであって、前記預金口座に関する前記情報を格納できるメモリチップと、
前記前面に設置されるディスプレイ画面であって、前記メモリチップに格納される前記情報を表示するように構成されるディスプレイ画面と、
前記前面に設置される始動ボタンであって、前記電子情報カードを始動させるように構成される始動ボタンと、
を備える電子情報カードであって、
前記ユーザが前記タッチキーパッドによってナビゲートするときに、前記ディスプレイ画面は前記預金口座に関する情報を表示する電子情報カード。
【請求項２】
クレジット／デビットカードでありえる請求項１記載の電子情報カード。
【請求項３】
前記預金口座に関する前記情報が、取引情報、金融情報、及びメッセージを含むことがありえる請求項１記載の電子情報カード。
【請求項４】
前記取引端末が、非同期転送モード（ＡＴＭ）端末及び店頭（ＰＯＳ）端末から成るグループから選択することができる請求項１記載の電子情報カード。
【請求項５】
前記メモリチップが、前記決済チップと前記取引端末の間の前記取引情報をリッスンして、選別して、格納することができる請求項１記載の電子情報カード。
【請求項６】
前記ユーザの前記預金口座と関連した暗証番号（ＰＩＮ）を使用してアクセスすることができる請求項１記載の電子情報カード。
【請求項７】
前記複数のタッチボタンの各々が、前記金融情報、例えば、残高、出費、取引情報、ワンタイムパスワード（ＯＴＰ）、ピン・トライ・カウンター（ＰＴＣ）、アプリケーション取引カウンター（ＡＴＣ）、及びメッセージを前記ユーザへ提供することができる請求項１記載の電子情報カード。
【請求項８】
前記メモリチップが、前記タッチキーパッド及び前記ディスプレイ画面を管理することができる請求項１記載の電子情報カード。
【請求項９】
前記メモリチップによって、ユーザが、前記タッチキーパッドによってナビゲートすることによって、口座残高のチェック、毎月の出費のチェック、取引情報のチェック、オンライン取引の実行、及び資金振替の実行から成る群から選択される金融サービスにアクセスすることができる請求項１記載の電子情報カード。
【請求項１０】
前記決済チップがユーロペイ・マスターカード・ビザ（ＥＭＶ）・チップでもよい請求項１記載の電子情報カード。
【請求項１１】
前記ディスプレイ画面が、前記金融情報、前記取引情報、前記ＯＴＰ、及びメッセージを前記ユーザに対して表示することができる請求項１記載の電子情報カード。
【請求項１２】
前記ケースがプラスチックでできていてもよい請求項１記載の電子情報カード。
【請求項１３】
携帯可能である請求項１記載の電子情報カード。
【請求項１４】
電子情報カードを使用してユーザによって金融取引を実行する方法であって、
ａ）前記電子情報カードをユーザに提供する段階と、
ｂ）前記電子情報カードを取引端末に挿入する段階と、
ｃ）前記取引端末と前記電子情報カードの決済チップの間で前記金融取引を開始する段階と、
ｄ）前記ユーザによって前記金融取引を実行する段階と、
ｅ）メモリチップによって前記金融取引をリッスンする段階と、
ｆ）前記メモリチップによって前記金融取引を選別する段階と、
ｇ）前記メモリチップによって前記金融取引に関する詳細を格納する段階と、
ｈ）前記ユーザによって前記取引端末から前記電子情報カードを取り外すことによって前記金融取引を終了する段階と、
を含む方法。
【請求項１５】
前記電子情報カードがクレジット／デビットカードでありえる請求項１４記載の方法。
【請求項１６】
前記取引端末が、非同期転送モード（ＡＴＭ）端末及び店頭（ＰＯＳ）端末から成るグループから選択することができる請求項１４記載の方法。
【請求項１７】
電子情報カードをオフラインモードで使用してユーザの預金口座に関する情報を検索するための方法であって、
ａ）前記ユーザによって始動ボタンのスイッチを入れることによって，前記電子情報カードを始動する段階と、
ｂ）タッチキーパッドの複数のボタンにより提供される少なくとも１つの機能を選択する段階と、
ｃ）前記タッチキーパッドによってナビゲートすることによって、前記必要な情報を検索する段階と、
ｄ）前記要求された情報を前記電子情報カードのディスプレイ画面に表示する段階と、
を含む方法。
【請求項１８】
前記電子情報カードがクレジット／デビットカードでありえる請求項１７記載の方法。
【請求項１９】
前記預金口座に関する前記情報が、取引情報、金融情報、及びメッセージを含むことがありえる請求項１７記載の方法。
【請求項２０】
前記複数のタッチボタンの各々が、前記金融情報、例えば、残高、出費、取引情報、ワンタイムパスワード（ＯＴＰ）、ピン・トライ・カウンター（ＰＴＣ）、アプリケーション取引カウンター（ＡＴＣ）、及びメッセージを前記ユーザへ提供することができる請求項１７記載の方法。
【発明の詳細な説明】
【技術分野】
【０００１】
本発明は、電子情報カード、より詳細には金融情報及びメッセージをユーザに提供できる改良型の電子情報カードに関する。
【背景技術】
【０００２】
電子決済カードは、金融取引を行うために人々によって広く使われている。これらのカードは、インターネットによる購入を含む、金融取引及び購入を行うために便利に用いることができるクレジットカード又はデビットカードでもよい。それらはユーザに都合がいいだけでなくて、金融機関及び商店も、ユーザがこれらの決済カードで金融取引を行うのを好む。大部分の既存のカードは、ユーザの預金口座と関連したパスワードのような情報を格納するために、それらの裏側の磁気ストリップを使用する。これらのカードのいくつかは、パスワード及び取引情報を格納するために、集積回路チップ（ＩＣチップ）技術を利用する。
【先行技術文献】
【特許文献】
【０００３】
【特許文献１】米国特許出願第２０１１／００４７０３８号明細書
【特許文献２】米国特許第７５３３８２８号明細書
【特許文献３】米国特許第５８５７０７９号明細書
【発明の概要】
【発明が解決しようとする課題】
【０００４】
これらのカードの使用と関連する主要な問題は、決済、毎月の出費、及びオンライン取引に関する情報を検索することの困難さである。現在、ユーザは、オンライン預金口座にログインすることによって、取引情報を検索するか、あるいは郵便、電子メール、又はテキストメッセージによって届けられる取引明細書を待たなければならない。現在の電子決済カードは、金融情報及び非同期転送モード（ＡＴＭ）アプリケーションを単一カードに組み込まない。
【０００５】
２０１１年２月２４日にハレヴィ（Ｈａｌｅｖｉ）に権利が与えられた特許文献１は、その所有者が信用取引を安全に行うことができるスマートクレジットカード装置を記載している。このスマートクレジットカードは、ディスプレイ画面、永続データを装置に格納するためのメモリ、間近に迫った特定の取引に関する一時データの固有の格納、店舗販売時点情報管理によってクレジットカード会社とデータ通信を行うための無線トランシーバー、所有者が取引を実行するために必須のデータを入力することを可能にするための入力構成要素、カード装置の動作を制御するためのプロセッサ、及びＤＣ電力をカード装置に供給するための電源を備える。しかしながら、スマートクレジットカード装置は、ユーザが取引毎に一時的コード番号を要求することを必要とする。更に、カードは、ユーザが必要に応じていつでも参照するための貯金残高または出費のような取引情報を提供しない。
【０００６】
２００９年５月１９日にオング（Ｏｎｇ）に交付された特許文献２において教示される１つの従来技術は、端末局（ＴＳ）を経由してホストコンピュータに出入りするデータ及び／又はデジタル情報の送信／受信を可能にする電子クレジットカード（ＥＣＣ）を開示している。ＥＣＣは、ユーザ検証手段、固有の取引識別子を生成するための手段、ユーザの口座の詳細を格納するための手段、視覚情報を提供するディスプレイ装置、及びユーザに口座の詳細を提供するために取引局と通信するための手段を備える。取引局は、残高を含む最新の金融情報をその情報ディスプレイ装置で提供する。ユーザ検証手段は、暗証番号（ＰＩＮ）の入力のためのキーパッドを含む。電子クレジットカードはまた、入力／確認ボタンと、電話を介して金融取引を始動させるために可聴音を提供するための音声変換器とを含む。しかしながら、この電子クレジットカードは、カード発行会社からユーザへの販売促進のようなメッセージを提供することができない。更に、カードは、オンライン取引を容易にするためのパスワードを提供する機能を有しない。
【０００７】
１９９９年１月５日にクラウス（Ｃｌａｕｓ）に交付された特許文献３において教示される別の従来技術は、出費が生じる時の出費の分類ならびに取引の日付、支払先。及び金額に関する情報の自動的な生成及び格納を可能にするスマートカードを開示している。このスマートカードは、取引が取引アイデンティティによって生じるときに取引を記録して、分類するために利用される。これらの取引アイデンティティは、事業又は個人分類、現金、小切手、又はクレジットカードタイプの取引、及び出費カテゴリーである。このスマートカードは、英数字ディスプレイならびにクラス、タイプ、及びカテゴリーを選択するためのキーボードを備えている。これらの項目はキーボード上の数字の入力により選択され、そして文字情報は、入力された数字に応答してこれらの項目を識別するために表示される。パーソナル・コンピュータのプログラムは、スマートカード読取り装置によるスマートカードの文字情報に加えて、クラス、タイプ、及びカテゴリーを特定するために用いられる。しかしながら、スマートカードは、ユーザにとって時間がかかることがありえるスマートカードの情報を読込み及び書込みを行うために、スマートカード読取り装置を必要とする。この種のカードは、オンライン取引を保護するために、ユーザにパスワードを与える機能を有していない。
【０００８】
従って、広範囲にわたる金融サービス、例えば、預金残高、毎月の出費情報のチェックをオフラインモードでユーザに指先のタッチで提供できる装置の必要性がある。この種の必要とされる装置は、オンライン取引を行う間、強化されたセキュリティをユーザに提供することが可能である。装置は、データをカードに読込み又は書込みを行うためのカード読取り装置を必要としない。更に、この種のカードはカード発行会社からメッセージを受け取ることができる。本発明はこれらの目的を達成する。
【課題を解決するための手段】
【０００９】
本発明は、ユーザの預金口座に関する情報を検索するための電子情報カードである。電子情報カードは、前面及び裏面を有するケースと、ケース内に設置されて、前面で有効にアクセスできる決済チップと、ケース内に設置されるメモリチップと、前面の左下部分に設置されるタッチキーパッドと、前面の右上部分に設置されるディスプレイ画面と、前面の右下部分に設置される始動ボタンとを備える。ユーザがタッチキーパッドによってナビゲートするときに、ディスプレイ画面は預金口座に関する情報を表示する。預金口座に関する情報は、取引情報、金融情報、及びメッセージを含むことができる。
【００１０】
電子情報カードはクレジット／デビットカードでありえる。決済チップはユーザと取引端末の間の取引を開始する。メモリチップは、決済チップと取引端末の間の取引をリッスンして、選別して、関連する取引情報をメモリに保存する。電子情報カードは、オフラインで使用するときに始動ボタンでスイッチを入れることによって始動できる。メモリチップによって、ユーザが、タッチキーパッドによってナビゲートすることによって、金融サービス、例えば、口座残高のチェック、毎月の出費のチェック、取引情報のチェック、オンライン取引の実行、及び資金振替の実行にアクセスすることができる。
【００１１】
タッチキーパッドは複数のタッチボタンを含む。複数のタッチボタンの各々は、金融情報、例えば、残高、出費、取引情報、ワンタイムパスワード（ＯＴＰ）、ピン・トライ・カウンター（ＰＴＣ）、アプリケーション取引カウンター（ＡＴＣ）、及びメッセージをユーザへ提供することができる。メモリチップは、タッチキーパッド及びディスプレイ画面を管理することができる。ディスプレイ画面は、金融情報、取引情報、ＯＴＰ、及びメッセージをユーザに表示する。ユーザは、オンライン預金口座にアクセスしている間、ユーザ名及びパスワードとともにディスプレイ画面に表示されるＯＴＰを使用することができる。
【００１２】
本発明は、ユーザの預金口座に関する情報を格納して、表示するための改良型の情報カードを提供する。この種のカードは、オンライン取引を行うと共に、強化されたセキュリティをユーザに提供する。更に、カードは携帯可能である。本発明の他の特徴及び利点は、例証として、本発明の原理を例示する添付図面に関連してなされる以下のより詳細な説明から明らかになる。
【図面の簡単な説明】
【００１３】
【図１】電子情報カードの絵画図である。
【図２】電子情報カードにより実行される取引の流れを例示する図面である。
【図３】電子情報カードの機能ブロック線図である。
【図４】電子情報カードを利用するユーザによって金融取引を実行する方法を例示するフローチャートである。
【図５】電子情報カードを利用してオフラインモードでユーザの預金口座に関する金融情報を検索する方法を例示するオペレーショナル・フローチャートである。
【発明を実施するための形態】
【００１４】
図１は、ユーザ（図示せず）の預金口座に関する情報を検索するための電子情報カード１０の絵画図である。電子情報カード１０は、前面１４及び裏面（図示せず）を有するケース１２と、ケース１２内に設置されて、前面１４で有効にアクセスできる決済チップ１５と、ケース１２内に設置されるメモリチップ（図示せず）と、前面１４の左下部分１８に設置されるタッチキーパッド１６と、前面１４の右上部分２２に設置されるディスプレイ画面２０と、前面１４の右下部分２６に設置される始動ボタン２４とを備える。ユーザがタッチキーパッド１６によってナビゲートするときに、ディスプレイ画面２０は預金口座に関する情報を表示する。預金口座に関連する情報は、取引情報、金融情報、及びメッセージを含むことができる。
【００１５】
電子情報カード１０はクレジット／デビットカードでありえる。電子情報カード１０は、ユーザの預金口座と関連した暗証番号（ＰＩＮ）を使用してアクセスすることができる。電子情報カード１０は、オフラインモードで使用しているときに、始動ボタンのスイッチを入れることによって始動することができる。メモリチップ（図示せず）によって、ユーザが、タッチキーパッド１６によってナビゲートすることによって、金融サービス、例えば、口座残高のチェック、毎月の出費のチェック、取引情報のチェック、オンライン取引の実行、及び資金振替の実行にアクセスすることができる。タッチキーパッド１６は複数のタッチボタン２８を含む。複数のタッチボタン２８は総計で１２であることがありえる。複数のタッチボタン２８は、「ＢＡＬ」ボタン（１）、「ＴＲＡＮＳ」ボタン（２）、「ＥＸＰ」ボタン（３）、「ＭＳＧ」ボタン（４）、「ＯＴＰ」ボタン（６）、「ＰＴＣ」ボタン（７）、「ＡＴＣ」ボタン（８）、「Ｃ／ＭＯＤＥ」ボタン、「ＯＫ」ボタンなどのようなボタンを含む。「Ｃ／ＭＯＤＥ」ボタンは、選択ボタンとして作用する。「Ｃ／ＭＯＤＥ」ボタンは、ユーザに複数のタッチボタン２８の各々により提供される少なくとも１つの機能を選ぶことを促す。ユーザが「Ｃ／ＭＯＤＥ」ボタンを押すと、「ＳＥＬＥＣＴ」メッセージがディスプレイ画面に表示される。ユーザは、３秒以内に複数のタッチボタン２８の各々により提供される少なくとも１つの機能を選択することができる。
【００１６】
「ＢＡＬ」ボタン（１）は、口座の現残高をチェックするために、ユーザにより操作される。「ＢＡＬ」ボタン（１）を押すことによって、「ＢＡＬ」メッセージが１秒間ディスプレイ画面２０に表示される。そして「ＢＡＬ」メッセージの後に、５秒間表示されることができる残高が続く。「ＴＲＡＮＳ」ボタン（２）は、電子情報カード１０により実行される各取引の詳細を提供する。まず、 「ＴＲＡＮＳ」メッセージは、１秒間ディスプレイ画面２０に出力される。それから、各取引は、取引番号、取引金額、購入日、及び取引の種類によって１秒間表示され、そして取引の結果はディスプレイ画面２０に５秒間表示される。ユーザは、「ＴＲＡＮＳ」ボタン（２）を使用して多くとも５つの取引の詳細を検索することができる。経常取引の詳細をチェックした後に、ユーザは、次のフィールドに行くために、「ＯＫ」のボタンを押すことができる。上の矢印３０は、ユーザが次の取引へ行くことを可能にし、そして下の矢印３２は、ユーザが実行された前の取引をスクロールすることを可能にする。
【００１７】
「ＥＸＰ」ボタン（３）は、ユーザの毎月の出費を提供する。「ＥＸＰ」ボタン（３）を選択することによって、その後に出費金額が続く「ＥＸＰ」メッセージは、電子情報カード１０のディスプレイ画面に５秒間表示される。「ＭＳＧ」ボタン（４）は、電子情報カード１０に含まれるメッセージをユーザ（図示せず）に提供する。メッセージは、ユーザによってカード発行会社から受け取ることが可能である。ユーザが「ＭＳＧ」ボタン（４）を選択すると、メッセージ「ＭＳＧ」はディスプレイ画面２０に１秒間表示されることができて、メッセージはディスプレイ画面全体に２秒間スクロールされる。さもなければ、メッセージ「ＮＯ  ＭＳＧ」がディスプレイ画面２０に５秒間出力される。メモリチップ（図示せず）は、多くとも５つのメッセージをメモリに格納することができる。ユーザは、「ＯＫ」ボタンを押すことによって、次のメッセージを検索できる。ユーザは、上の矢印３０を使用して次のメッセージにスクロールして、下の矢印３２を使用して前のメッセージにスクロールすることもできる。
【００１８】
「ＯＴＰ」ボタン（６）は、オンライン取引を実行するためにワンタイムパスワードを検索するために、ユーザ（図示せず）により作動される。ＯＴＰは、ＰＩＮを電子情報カード１０に入力した後に、ユーザに提供されることができる。ユーザは、オンライン取引を行う間、ユーザ名及びパスワードとともにＯＴＰを使用することができる。ＯＴＰは６つの数字でもよい。「ＰＴＣ」ボタン（７）はＰＩＮ取引カウンターを提供する。すなわち、ユーザが間違ったＰＩＮをカードに入力した場合は、「ＰＴＣ」機能は、電子情報カード１０がブロックされる前に誤ったＰＩＮが許される回数を示す。「ＰＴＣ」メッセージは１秒間表示され、そして「金額」メッセージはディスプレイ画面２０に５秒間表示される。「ＡＴＣ」ボタン（８）は、アプリケーション取引カウンターをユーザに提供する。アプリケーション取引カウンターは、電子情報カード１０により実行された取引の数を示す。ＡＴＣはＯＴＰの生成ごとに１つだけ増加する。「ＡＴＣ」ボタンを選択することによって、「ＡＴＣ」メッセージはディスプレイ画面に１秒間表示され、そして「金額」メッセージは５秒間表示される。ユーザがこれらの動作を実行する間にその他の機能を選択したい場合、ユーザは「Ｃ／ＭＯＤＥ」ボタンを押して、所望の機能を選択することができる。要求された機能の各々を表示した後、メモリチップ（図示せず）はスリープ・モードになって、それによってオフラインモードで電子情報カード１０により実行される機能を終了できる。ユーザが上記の特筆された機能のいずれかを実行したい場合、ユーザは、始動ボタン２４を押すことによって電子情報カード１０を再び始動させなければならないことがありえる。
【００１９】
図２は、電子情報カード１０により実行される取引３４の流れを例示する図面である。電子情報カード１０が取引端末３６において用いられるたびに、取引許可要求は取引端末３６によってアクワイアラ３８に送信される。取引端末３６は、非同期転送モード（ＡＴＭ）端末及び店頭（ＰＯＳ）端末から成るグループから選択することができる。アクワイアラ３８は、小売商、販売アクワイアラ、又は端末ドライバでもよい。決済チップ１５はユーザと取引端末３６の間で取引を開始する。決済チップ１５はユーロペイ・マスターカード（登録商標）・ビザ（登録商標）・チップでもよい。取引許可要求は、その場合、アクワイアラ３８からカードネットワーク４０を経由して発行者４２へ送られる。発行者４２は要求を受け取って、許可応答メッセージの一部としてＥＭＶスクリプトを送ることによって取引端末３６へ返答する。発行者４２は、電子情報カード１０をユーザに発行する金融機関でありえる。許可応答メッセージのＥＭＶスクリプトは、それから、取引端末３６によって受け取られて、実行され、取引端末３６は、関連した情報を電子情報カード１０のメモリチップ（図示せず）にアップロードする。電子情報カード１０がオンラインで許可されるたびに、標準ＥＭＶチップ技術は情報を更新するために用いられる。
【００２０】
図３は、電子情報カード１０の機能ブロック線図である。ユーザは、電子情報カード１０を取引端末３６に挿入することができる。決済チップ１５は、ユーザ（図示せず）と取引端末３６の間で取引を開始する。メモリチップ４６は、それから、決済チップ１５と取引端末３６の間の取引をリッスンして、選別して、関連した取引情報をメモリに保存する。メモリチップ４６は、タッチキーパッド１６及びディスプレイ画面２０を管理することもできる。
【００２１】
メモリチップ４６は、ユーザの預金口座に関する情報を格納するように構成される。情報は、タッチキーパッド１６によってナビゲートすることによって、いつでもユーザが利用することができる。メモリチップ４６によって、ユーザが、タッチキーパッド１６によってナビゲートすることによって、口座残高のチェック、毎月の出費のチェック、取引情報のチェック、オンライン取引の実行、及び資金振替の実行から成る群から選択される金融サービスにアクセスすることができる。メモリチップ４６は、電子情報カード１０の電池４８を充電するようにも構成される。ディスプレイ画面２０は、金融情報、取引情報、ＯＴＰ、及びメッセージをユーザに表示することができる。ディスプレイ画面２０は、高コントラスト数値液晶ディスプレイ（ＬＣＤ）画面でありえる。
【００２２】
電子情報カード１０は、サイズが標準的なクレジット／デビットカードと類似している。電子情報カード１０のケース１２は、プラスチックでできていることがありえる。電子情報カード１０は、オンライン取引をする間、強化されたセキュリティをユーザに提供する。ユーザは、オンライン預金口座にアクセスするときに、ユーザ名及びパスワードとともにディスプレイ画面に表示されるＯＴＰを使用することができる。パスワードが脆弱化した場合であっても、電子情報カード１０はユーザを無事に保つ。ＯＴＰが常に変化するので、預金口座にアクセスしようとしている誰でも、電子情報カード１０を物理的に所有している必要がある。カードを紛失した場合であっても、ユーザ名及びパスワードがアクセスのために依然として必要とされるので、ユーザは依然として保護されている。電子情報カード１０はまた、ユーザフレンドリーで且つ携帯可能であり、ユーザの財布に容易にぴったり収まる。セキュリティ及び便宜の向上したレベルによって、ユーザが、指先のタッチで、広範囲にわたる金融サービス、例えば、彼らの口座残高のチェック、オンライン取引の実行、及び予め指定されない口座への転送にアクセスすることができる。コンテキスト固有のアラート及びマーケティング・メッセージは、カード発行会社からユーザに非常に費用対効果が高い状態で、且つ容易に届けられることが可能である。
【００２３】
図４を参照すると、電子情報カード１０を使用してユーザによって金融取引を実行する方法を例示するフローチャートが例示されている。最初に、電子情報カードは、ブロック５０で示されるようにユーザに提供される。電子情報カードは、それから、ブロック５２に示すように取引端末に挿入される。取引端末と電子情報カードの決済チップの間の金融取引は、それから、ブロック５４に示すように開始される。金融取引は、それから、ブロック５６に示すようにユーザにより実行される。メモリチップは、その時、ブロック５８に示すように金融取引をリッスンすることができる。ブロック６０に示すように、金融取引はメモリチップによって選別される。金融取引は、それから、ブロック６２に示すようにメモリチップのメモリに格納される。金融取引は、それから、ブロック６４に示すように、ユーザによって取引端末から電子情報カードを取り外すことにより終了する。
【００２４】
図５は、オフラインモードで電子情報カード１０を使用してユーザの預金口座に関する金融情報を検索する方法を例示するオペレーショナル・フローチャートである。電子情報カード１０は、ブロック６６に示すように、ユーザによって始動ボタンのスイッチを入れることによって始動する。タッチキーパッドの複数のボタンにより提供される少なくとも１つの機能は、それから、ブロック６８に示すようにユーザにより選択される。必要な情報は、それから、ブロック７０に示すように、ユーザによってタッチキーパッドによってナビゲートすることにより検索される。ブロック７２に示すように、要求された情報は電子情報カードのディスプレイ画面に表示される。
【００２５】
本発明の特定の形が例示されて、説明されたが、さまざまな変更態様が本発明の精神と範囲から逸脱することなく行われ得ることは明らかである。例えば、タッチキーパッド１６、ディスプレイ画面２０、及び始動ボタン２４は、より良好な外観を電子情報カード１０に提供するように前面１４のどこにでも設置することができる。同様に、電子情報カード１０は、強化されたセキュリティをユーザに提供するために電子署名機能を更に含むことができる。したがって、本発明が添付の請求の範囲による場合を除いて制限されることは意図されない。
【図１】
2014531630.tif 000002
【図２】
2014531630.tif 000003
【図３】
2014531630.tif 000004
【図４】
2014531630.tif 000005
【図５】
2014531630.tif 000006
【国際調査報告】
2014531630.tif 000007
2014531630.tif 000008
2014531630.tif 000009